(57)【特許請求の範囲】
【請求項１】
使用者が横たわるためのマット本体と、
前記マット本体を往復運動させる揺動部と、
前記マット本体および前記揺動部を内包するマットカバーとを備え、
前記揺動部は、前記マット本体を支持する本体支持部材と、前記本体支持部材の往復移動を支持する揺動支持部材と、前記本体支持部材を往復移動させる駆動部とを備え、
前記揺動支持部材は、前記本体支持部材の底面に固定された第１平滑部材と、前記第１平滑部材が滑走する第２平滑部材とを備えた揺動マット。
【請求項２】
前記揺動支持部材は、前記本体支持部材を往復移動自在に連結して支持する柱部材を備えた請求項１記載の揺動マット。
【請求項３】
使用者が横たわるためのマット本体と、
前記マット本体を往復運動させる揺動部と、
前記マット本体および前記揺動部を内包するマットカバーとを備え、
前記揺動部は、前記マット本体を支持する本体支持部材と、前記本体支持部材の往復移動を支持する揺動支持部材と、前記本体支持部材を往復移動させる駆動部とを備え、
前記駆動部は、前記マット本体と並べて配置され、
前記揺動支持部材は、前記本体支持部材と対向して設置面側に配置された設置用部材を備え、
前記駆動部は、前記本体支持部材に設置されたモータと、前記モータの駆動に応じて回転するクランク部材と、前記クランク部材に一端が接続され、前記設置用部材に他端が接続され、前記クランク部材の回転運動を往復運動に変換するシャフト部とを備えた揺動マット。
【請求項４】
前記駆動部は、前記本体支持部材の下方に配置された請求項１または２記載の揺動マット。
【請求項５】
前記揺動支持部材は、前記本体支持部材と対向して設置面側に配置された設置用部材を備え、
前記駆動部は、前記設置用部材に設置されたモータと、前記モータの駆動に応じて回転するクランク部材と、前記クランク部材に一端が接続され、前記本体支持部材に他端が接続され、前記クランク部材の回転運動を往復運動に変換するシャフト部とを備えた請求項４記載の揺動マット。
【発明の詳細な説明】
【技術分野】
【０００１】
本発明は、横たわる使用者を往復移動させる揺動マットに関するものである。
【背景技術】
【０００２】
ベッドが往復移動することで、ベッドに横たわった人が、マッサージ効果を得たり、リハビリ効果を得たり、睡眠を誘導する効果を得たりすることが知られている。
例えば、特許文献１には、マット支持体を支持する脚体の車輪がレールに載って、往復動駆動手段によりマット支持体をレールに沿って往復移動させる「ベッド装置」が記載されている。
また、使用者を身長方向または左右方向に往復移動させるものではないが、特許文献２には、フレームに中央軸を介して左右に傾斜して動くように取り付けられた基台に、マットレスが乗せられており、基台の一側面側をジャッキにより上下方向に動かす「身体支持具」が記載されている。
【先行技術文献】
【特許文献】
【０００３】
【特許文献１】登録実用新案第３１３２８５３号公報
【特許文献２】特開２００１−１２０６０６号公報
【発明の概要】
【発明が解決しようとする課題】
【０００４】
しかし、特許文献１に記載の「ベッド装置」は、使用者が横たわるマットが載置されるマット支持体を往復運動するものであるが、マット支持体に、車輪付きの脚体が設けられているため、大掛かりな装置となっている。従って、簡単に、このベッド装置の揺動部を他のベッドに持っていくことは難しい。
また、特許文献２に記載の「身体支持具」にしても、マットレスを傾斜させる揺動部がベッド内部に組み込まれているため、容易に他のベッドに設置することができない。
【０００５】
そこで本発明は、揺動機構の小型化が可能であり、移動や設置が容易な揺動マットを提供することを目的とする。
【課題を解決するための手段】
【０００６】
本発明の揺動マットは、使用者が横たわるためのマット本体と、前記マット本体を往復運動させる揺動部と、前記マット本体および前記揺動部を内包するマットカバーとを備え、前記揺動部は、前記マット本体を支持する本体支持部材と、前記本体支持部材の往復移動を支持する揺動支持部材と、前記本体支持部材を往復移動させる駆動部とを備えたことを特徴とする。
【０００７】
本発明の揺動マットによれば、マットカバーにより、マット本体と、揺動部とを覆っているため、使用者は、本発明の揺動マットを、容易に、ベッドに設置したり、和室であれば畳の上に設置したり、洋室であればフローリングの板間の上に設置したりすることができる。また、駆動部がマット本体と本体支持部を駆動できればよいため、駆動部として小型のものが採用できるので、本発明の揺動マットは、ベッド全体を揺動させるより揺動部を小型化することができる。
【０００８】
前記揺動支持部材は、前記本体支持部材の底面に固定された第１平滑部材と、前記第１平滑部材が滑走する第２平滑部材とを備えていることが望ましい。
駆動部によって本体支持部材を往復移動させることで、第１平滑部材が本体支持部材の底面に固定された状態で第２平滑部材を滑走するので、マット本体を往復移動させることができる。
【０００９】
前記揺動支持部材は、前記本体支持部材を往復移動自在に連結して支持する柱部材を備えることが望ましい。柱部材が、本体支持部材の往復移動に伴って、一方へ傾斜したり、他方へ傾斜したりして、本体支持部材を支持しながら、本体支持部材を往復移動させることができる。
【００１０】
前記駆動部が、前記マット本体と並べて配置されていると、本体支持部材の下方に配置したときと比較して、本発明の揺動マットを薄く形成することができる。
【００１１】
前記揺動支持部材は、前記本体支持部材と対向して設置面側に配置された設置用部材を備え、前記駆動部は、前記本体支持部材に設置されたモータと、前記モータの駆動に応じて回転するクランク部材と、前記クランク部材に一端が接続され、前記設置用部材に他端が接続され、前記クランク部材の回転運動を往復運動に変換するシャフト部とを備えていることが望ましい。このような構成とすることで、本体支持部材にモータが設置されていても、クランク部材の回転に伴ってシャフト部により本体支持部材を往復移動させることができる。
【００１２】
前記駆動部が、前記本体支持部材の下方に配置されていると、本発明の揺動マットを平面視したときに、駆動部がマット本体に隠れるため、揺動マットは、マット本体のサイズより大きくならない。
【００１３】
前記揺動支持部材は、前記本体支持部材と対向して設置面側に配置された設置用部材を備え、前記駆動部は、前記本体支持部材に設置されたモータと、前記モータの駆動に応じて回転するクランク部材と、前記クランク部材に一端が接続され、前記設置用部材に他端が接続され、前記クランク部材の回転運動を往復運動に変換するシャフト部とを備えていることが望ましい。このような構成とすることで、設置用部材にモータが設置されていても、クランク部材の回転に伴ってシャフト部により本体支持部材を往復移動させることができる。
【発明の効果】
【００１４】
本発明の揺動マットは、ベッド全体を揺動させるより揺動部を小型化することができるので、揺動機構の小型化が可能であり、移動や設置が容易である。
【図面の簡単な説明】
【００１５】
【図１】本発明の実施の形態１に係る揺動マットの内部構造を示す側面図である。
【図２】図１の揺動マットが反対方向へ揺動する状態を示す側面図である。
【図３】本発明の実施の形態２に係る揺動マットの内部構造を示す側面図である。
【図４】図３の揺動マットが反対方向へ揺動する状態を示す側面図である。
【発明を実施するための形態】
【００１６】
本発明の実施の形態に係る揺動マットを説明する。本実施の形態に係る揺動マットは、心地のよい睡眠の誘導を求める使用者が使用したり、脳性麻痺により介護が必要な使用者などがリハビリやトレーニングなどに使用したり、運動不足になった老齢の使用者がストレッチ運動に使用したりするものである。
本実施の形態に係る揺動マットは、ベッドに設置されたり、和室であれば畳の上、洋室であればフローリングの板間の上に配置されたりして使用される。
【００１７】
（実施の形態１）
本実施の形態１に係る揺動マットを図面に基づいて説明する。
図１に示す揺動マット１１は、使用者Ｍが横たわるためのマット本体１２と、揺動部１３と、マット本体１２および揺動部１３を内包するマットカバー１４とを備えている。
【００１８】
マット本体１２は、マット本体１２に横たわる使用者Ｍの身長方向および左右方向に応じたサイズの矩形状に形成されている。マット本体１２は、使用者Ｍが安心して睡眠やトレーニングができるようクッション性を有している。
【００１９】
揺動部１３は、マット本体１２を、使用者Ｍの身長方向に沿って往復移動させるものである。以下、この往復移動する方向を、往復移動方向Ｆ１と称す。
揺動部１３は、マット本体１２を支持する本体支持部材１３１、本体支持部材の往復移動を支持する揺動支持部材１３２と、本体支持部材を往復移動させる駆動部１３３とを備えている。
【００２０】
本体支持部材１３１は、マット本体１２の形状に合わせて矩形状に形成されている。本体支持部材１３１は、マット本体１２の底面を支持できるものであれば、板状部材としたり、枠状部材としたりすることができる。本体支持部材１３１は、マット本体１２と共に往復移動するので、軽量化を図るために、マット本体１２の周囲を囲う枠部材と、縦横に格子状に形成された骨部材とにより構成することが望ましい。
【００２１】
揺動支持部材１３２は、本体支持部材１３１と対向して設置面Ｓ側に配置され、揺動マット１１の底面を形成する設置用部材１３２１と、スライド用部材１３２２とを備えている。
設置用部材１３２１は、本体支持部材１３１の形状に合わせて矩形状に形成されている。設置用部材１３２１は、板状部材としたり、枠状部材としたりすることができる。
スライド用部材１３２２は、滑りやすくなるように表面処理された平滑部材１３２２ａが第１平滑部材として本体支持部材１３１に配置されていると共に、平滑部材１３２２ａに対向した状態で接する平滑部材１３２２ｂが第２平滑部材として設置用部材１３２１に配置されている。
【００２２】
本実施の形態１に係る平滑部材１３２２ａ，１３２２ｂは、使用者Ｍの胸部部分から頭部側のマット本体１２の端部までと、脛部分から足先側のマット本体１２の端部までの２箇所に設けられている。
この平滑部材１３２２ａ，１３２２ｂは、フッ素樹脂加工されたテープまたは板材としたり、ポリスライダー（登録商標）としたりすることができる。平滑部材１３２２ａ，１３２２ｂは、接触面積が狭い方が、摩擦が小さいため、往復移動方向Ｆ１に沿ってテープ状のものを複数配置することが望ましい。また、平滑部材１３２２ａ，１３２２ｂは、スライドレールのような平滑部材でも同様に構成することが可能である。
【００２３】
駆動部１３３は、本体支持部材１３１に設置されたモータ１３３１と、モータ１３３１の駆動に応じて回転する円形部材１３３２と、円形部材１３３２に一端が接続され、設置用部材１３２１に他端が接続され、円形部材１３３２の回転運動を往復運動に変換するシャフト部１３３３とを備えている。
【００２４】
モータ１３３１は、マット本体１２と並んで、使用者Ｍの脚側の端部に配置されている。モータ１３３１は、回転軸が使用者Ｍの身長方向と直交する左右方向に沿って配置されている。円形部材１３３２は、円形部材１３３２の中心が、モータ１３３１の回転軸に取り付けられてクランク部材として機能するものである。
【００２５】
シャフト部１３３３は、一端１３３３ａが円形部材１３３２の中心から偏心した位置に、図示しないピン部材により回転自在に連結されている。シャフト部１３３３は、一端１３３３ａから、マット本体１２の切り欠かれた足先側の端部を通過し、本体支持部材１３１およびを突き抜けて設置用部材１３２１まで延びている。そして、シャフト部１３３３は、他端１３３３ｂが、取付部材を介して設置用部材１３２１に、図示しないピン部材により回転自在に連結されている。
【００２６】
マットカバー１４は、マット本体１２と揺動部１３との全体を包囲するように形成されている。マットカバー１４は、布製であるが、合成繊維、不織布、ネットあるいは柔軟な樹脂等であっても差し支えない。
【００２７】
以上のように構成された本発明の実施の形態１に係る揺動マット１１の動作および使用状態を図面に基づいて説明する。
使用者Ｍが揺動マット１１の電源を図示しない操作盤により投入して、モータ１３３１に通電することで、モータ１３３１が駆動し始める。モータ１３３１の駆動により円形部材１３３２が回転し、この回転に伴ってシャフト部１３３３の一端１３３３ａが回転運動する。
【００２８】
シャフト部１３３３の一端１３３３ａが回転し、シャフト部１３３３の他端１３３３ｂは、その位置が設置用部材１３２１に固定されている。そのため、モータ１３３１の回転運動は、シャフト部１３３３を介して往復運動に変換されるので、モータ１３３１および円形部材１３３２は、図１の状態から図２に示す状態へ遷移して往復移動方向Ｆ１に沿って移動する。
設置用部材１３２１の上面に設けられた平滑部材１３２２ｂが、本体支持部材１３１の底面に設けられた平滑部材１３２２ａを滑走するため、マット本体１２は滑るようにして往復移動する。
これにより、マット本体１２に横たわり、身長方向に往復移動する使用者Ｍは、心地のよい睡眠を得たり、リハビリやトレーニング、ストレッチ運動をしたりすることができる。
【００２９】
以上のように、本実施の形態１に係る揺動マット１１によれば、マットカバー１４により、マット本体１２と、揺動部１３とが覆われて揺動マット１１が形成されているため、使用者は、揺動マット１１を、容易に、ベッドに設置したり、和室であれば畳の上に設置したり、洋室であればフローリングの板間の上に設置したりすることができる。マットカバー１４が汚れれば、マットカバー１４を洗濯したり、代わりのマットカバー１４と入れ替えたりすることで、いつでも清潔に保つことができる。
【００３０】
また、モータ１３３１が、モータ１３３１自体と、マット本体１２と、本体支持部材１３１と、使用者Ｍとの合計の重量を移動させるだけの出力があればよいので、モータ１３３１の出力を小さいものとしてもよい。従って、モータ１３３１として小型のものが採用できるので、マット本体１２および揺動部１３がマットカバー１４により内包された揺動マット１１は、ベッド全体を揺動させるより揺動部１３を小型化することができる。
また、揺動マット１１は、ベッド全体を揺動させる手段よりもはるかに軽量化できるため、揺動マット１１は、いろいろな場所へ移動することが容易である。
【００３１】
駆動部１３３によって本体支持部材１３１を往復移動させることで、平滑部材１３２２ａが本体支持部材１３１の底面に固定された状態で平滑部材１３２２ｂを滑走するので、マット本体１２を往復移動させることができる。
【００３２】
また、平滑部材１３２２ａと平滑部材１３２２ｂとが板状やテープ状に形成され、本体支持部材１３１の往復移動を支持しているため、本体支持部材１３１と設置用部材１３２１との間を接近して配置することができる。従って、揺動マット１１の厚みを薄く形成することができる。
【００３３】
揺動部１３のモータ１３３１が、本体支持部材１３１の下方となる設置用部材１３２１との間ではなく、マット本体１２と並んで同じ高さ位置に配置されているため、平滑部材１３２２ａ，１３２２ｂに厚みの薄い板状または帯状部材が使用できるため、揺動マット１１全体の厚みを薄いものとすることができる。
【００３４】
更に、駆動部１３３が、本体支持部材１３１に設置されたモータ１３３１と、モータ１３３１の駆動に応じて回転する円形部材１３３２と、円形部材１３３２に一端１３３３ａが接続され、設置用部材１３２１に他端１３３３ｂが接続され、円形部材１３３２の回転運動を往復運動に変換するシャフト部１３３３とを備えている。そのため、本体支持部材１３１にモータ１３３１が設置されていても、円形部材１３３２の回転に伴ってシャフト部１３３３により本体支持部材１３１自体を往復移動させることができる。
【００３５】
なお、本実施の形態１に係る駆動部１３３では、クランク部材として円形部材１３３２を例に説明したが、シャフト部１３３３の一端１３３３ａが回転移動すればよいので、円形部材１３３２の代わりに、モータ１３３１の回転軸に一方の端部が取り付けられ、シャフト部１３３３の一端１３３３ａに他方の端部が取り付けられた細長の板材や偏心カムなどの回転運動を往復運動に変換できる部材としてもよい。
【００３６】
（実施の形態２）
本発明の実施の形態２に係る揺動マットを図面に基づいて説明する。なお、図３および図４においては、図１および図２と同じ構成のものは同符号を付して説明を省略する。
図３および図４に示すように、本実施の形態２に係る揺動マット２１は、モータ１３３１が設置用部材１３２１の上に設置されていることにより、本体支持部材１３１と設置用部材１３２１との間に設置されている。
【００３７】
本実施の形態２では、使用者Ｍの身長方向に沿って配置されたモータ１３３１の回転軸によって回転する円形部材１３３２の回転軸の方向を、傘歯車などにより身長方向と直交する左右方向へ変換している。
シャフト部１３３３は、一端１３３３ａが円形部材１３３２の中心から偏心した位置に、図示しないピン部材により回転自在に連結されている。シャフト部１３３３は、一端１３３３ａから本体支持部材１３１まで延びている。そして、シャフト部１３３３は、他端１３３３ｂが、取付部材を介して本体支持部材１３１に、図示しないピン部材により回転自在に連結されている。
【００３８】
本体支持部材１３１と設置用部材１３２１との間に配置されたモータ１３３１の高さを確保するために、揺動部１３は、揺動支持部材１３４として、本体支持部材１３１を往復移動自在に連結して支持する柱部材１３２３を備えている。
柱部材１３２３は、矩形状に形成された本体支持部材１３１の４つの角部を支持している。
【００３９】
以上のように構成された本発明の実施の形態２に係る揺動マット２１の動作および使用状態を図面に基づいて説明する。
使用者Ｍが揺動マット２１の電源を図示しない操作盤により投入して、モータ１３３１に通電することで、モータ１３３１が駆動し始める。モータ１３３１の駆動により円形部材１３３２が回転し、この回転に伴ってシャフト部１３３３の一端１３３３ａが回転運動する。
【００４０】
シャフト部１３３３の一端１３３３ａが回転し、シャフト部１３３３の他端１３３３ｂは、その位置が本体支持部材１３１に固定されている。そのため、モータ１３３１の回転運動は、シャフト部１３３３の往復運動に変換されるので、本体支持部材１３１は往復移動する。
図３に示すように、本体支持部材１３１が使用者Ｍの頭方向へ移動すると、柱部材１３２３が頭方向へ向かって傾斜し、本体支持部材１３１が使用者Ｍの足先方向へ移動すると、設置用部材１３２１の柱部材１３２３が足先方向へ向かって傾斜する。
これにより、図３に示す状態から図４に示す状態へ遷移するように、本体支持部材１３１および本体支持部材１３１に支持されたマット本体１２が身長方向に沿って往復移動する。従って、マット本体１２に横たわり、身長方向に往復移動する使用者Ｍは、心地のよい睡眠を得たり、リハビリやトレーニング、ストレッチ運動をしたりすることができる。
【００４１】
以上のように、本発明の実施の形態２に係る揺動マット２１は、モータ１３３１が、マット本体１２と、本体支持部材１３１との合計の重量を移動させるだけの出力があればよいので、更に、モータ１３３１の出力を小さいものとしてもよい。従って、モータ１３３１として小型のものが採用できるので、マット本体１２および揺動部１３がマットカバー１４により内包された揺動マット２１は、ベッド全体を揺動させるより揺動部１３を小型化することができる。揺動マット２１は、揺動機構の小型化が可能であり、設置が容易である。
【００４２】
また、揺動支持部材１３４は、本体支持部材１３１を往復移動自在に連結して支持する柱部材１３２３を備えているため、柱部材１３２３が、本体支持部材１３１の往復移動に伴って柱部材１３２３が一方へ傾斜したり、他方へ傾斜したりして、本体支持部材１３１を支持しながら、本体支持部材１３１を往復移動させることができる。
【００４３】
また、モータ１３３１が、本体支持部材１３１と設置用部材１３２１との間に配置されているため、揺動マット２１を平面視したときに、マット本体１２の下に駆動部１３３が隠れるため、マット本体１２のサイズより大きくならない。
【００４４】
更に、駆動部１３３が、設置用部材１３２１に設置されたモータ１３３１と、モータ１３３１の駆動に応じて回転する円形部材１３３２と、円形部材１３３２に一端１３３３ａが接続され、本体支持部材１３１に他端１３３３ｂが接続され、円形部材１３３２の回転運動を往復運動に変換するシャフト部１３３３とを備えている。これにより、設置用部材１３２１にモータ１３３１が設置されていても、円形部材１３３２の回転に伴ってシャフト部１３３３により本体支持部材１３１を往復移動させることができる。
【００４５】
以上、本実施の形態１，２について説明したが、例えば、実施の形態１に係る揺動マット１１は、揺動支持部材１３２が、平滑部材１３２２ａ，１３２２ｂによるスライド用部材１３２２によってマット本体１２の揺動が支持されていた。しかし、スライド用部材１３２２は、実施の形態２に係る柱部材１３２３によって構成されていてもよい。
【００４６】
また、実施の形態２に係る揺動マット２１は、揺動支持部材１３４が、柱部材１３２３によってマット本体１２の揺動が支持されていた。しかし、柱部材１３２３は、実施の形態１に係る平滑部材１３２２ａ，１３２２ｂによるスライド用部材１３２２によって構成されていてもよい。この場合、本体支持部材１３１と設置用部材１３２１との間に、モータ１３３１の高さを確保するために、本体支持部材１３１と平滑部材１３２２ａとの間、または平滑部材１３２２ｂと設置用部材１３２１との間のいずれか一方、または両方に、厚み部材を配置するのが望ましい。
【００４７】
更に、本実施の形態１，２に係る揺動マット１１，２１は、身長方向に往復移動していたが、左右方向に往復移動するように構成してもよい。
【産業上の利用可能性】
【００４８】
本発明の揺動マットは、サイズを変更することで、乳幼児の睡眠誘導用としたり、障害者または高齢者のリハビリ用またはトレーニング用としたりすることができる。
【符号の説明】
【００４９】
１１，２１  揺動マット
１２  マット本体
１３  揺動部
１３１  本体支持部材
１３２，１３４  揺動支持部材
１３２１  設置用部材
１３２２  スライド用部材
１３２２ａ，１３２２ｂ  平滑部材
１３２３  柱部材
１３３  駆動部
１３３１  モータ
１３３２  円形部材
１３３３  シャフト部
１３３３ａ  一端
１３３３ｂ  他端
１４  マットカバー
Ｆ１  往復移動方向
Ｍ  使用者
Ｓ  設置面
【図１】
0006654010.tif 000002
【図２】
0006654010.tif 000003
【図３】
0006654010.tif 000004
【図４】
0006654010.tif 000005